(57)【要約】【課題】ベルトに装備する工具ホルダーは、皮革製の場合、ベルトに通すベースになる側と工具を覆う甲皮に大別できる。革靴で例えるとベースになる側は「靴底」、工具を覆う側は「甲皮」です。従来の工具ホルダーは「靴底」の外周を出っ張らせて「甲皮」と重ね、糸で縫ったり、金具で固定していたがホルダーの巾が大きくなってしまう。工具を入れるサイズが同じ以上にありながらホルダーの巾を小さくしたい。【解決手段】革靴の場合は、１段目の「靴底」と２段目の「靴底」の間に「甲皮」を挟み込み、縫い付けているタイプが多い。工具ホルダーもこの方式にすると「甲皮」の巾より、かなりベースの巾が小さくできる。２連式の工具ホルダーでは全体の巾がかなり節約できる。工具ホルダーではベースになる皮に「甲皮」の両端を裏側まで回し、靴と同じく、穴加工して靴紐で締めつけるような固定方法もある。靴紐方式だと、力が分散されるので、工具を強く差し込んでも皮や紐が破損しにくい。【選択図】図１
2017024157.tif 000002
【特許請求の範囲】
【請求項１】
工具ホルダーの「甲皮」は甲皮より出っ張ったベースの皮に、同じく道具を覆っている甲皮も出っ張らせて、両者を縫い付けたり、カシメ金具で固定するのが従来の方法であった。しかし、この方式は道具の巾より、かなり、工具ホルダーの巾が大きくなり、２連以上のもの（道具が２個以上横方向に差せるもの）の場合は特に横方向が大きくなり、不都合な場合が多かった。この巾を少なくし、破損しにくい構造にした。製作方法としては、ベースになる皮に甲皮を一巻きする。甲皮の繋ぎ目は、靴紐のように、皮と皮に対面するように穴を明け（靴の構造と全く同じ）靴紐（実際は太い糸）で絞る。パイプ状になった甲側にベースの皮を差し込み、入れる道具に都合のよい太さになるよう靴紐の絞り具合を加減する。短距離の選手の運動靴には靴巾を広げる大きな衝撃力が働くが、靴紐や穴が切れたりする事は滅多に無い。これは、靴紐が移動したり、紐に働いた力が分散されるからである。このままでは、ベースの皮と甲皮がズレたりするので、金具で一部を固定する。
工具ホルダーの「甲皮」をパイプ状にして、繋ぎ目を靴紐のように縛（しば）り、ベースの皮に差し込む構造にした事を特徴とする工具ホルダー（工具差し）である。
参考図：図（１）、図（２）
【請求項２】
「請求項１」に２０１４年２月２７日に出願済（特願２０１４−５４０７８）出願者：坂本昭男の磁石を取り付けた方式を組み込む方法が脱落防止に効果的である。
【請求項３】
斜め差し工具ホルダー
工具差しは１００％と断言できるほど、垂直方向に差すような構造です。これだと両脇腹から両太股（ふともも）の真上まで、膝を持ち上げるとホルダーを突き上げてしまう。
また、「へそ」の右側辺りにホルダーを吊ると（右利きの場合）見やすい位置ではあるが非常に「抜き差し」しにくい。これはこの高さの腕の関節の可動域（上下移動の場合）が大変小さいからである。では、抜き差しする理想的な位置や角度は？日本刀が最高でしょう。あれだけ長くて重いものが、差すのはともかく、抜くのは実にスピーディーにできる。日本刀が抜き差ししやすいのは、斜め差しだからである。工具は長いものでも殆ど４０ｃｍを下回る。斜めといっても水平より、１０°前後から３０°前後以下が好都合です。
この角度なら膝で突き上げにくい。但し、かなり水平に近い斜めなので、脱落しやすいが、「請求項２」の磁石を取り付けることにより、脱落を殆ど防げる。「へそ」の左側辺りに斜め差し工具ホルダーをもう一つ取り付けると、右利きの場合、更に抜き差しが容易である。電気工事人の場合、工具ホルダーは腹側には殆ど吊らず、腰の側面から後ろ側に吊る場合が多い。これは、膝の突き上げが主な理由でしょう。今回の「斜め差し工具ホルダー」は、２連以上のものも考案されているので、腹側に４つ以上の工具が吊れる。
参考図：図（３）、図（４）
【請求項４】
２連、又は３連以上の斜め差し工具ホルダー
道具差しは腹の中心から右側と左側の２ヵ所が、道具の位置を確認しやすいが、作業の職種によっては、この位置では工具ホルダーを利用してない場合も多い。「請求項３」にも述べているように、膝を持ち上げるとホルダーを突き上げてしまうのが、主な原因と思われる。右利きの人の場合は腹の左側が「抜き差し」もしやすい。目でも確認しやすい。いわば、ベストゾーンとも言える。腹の右側も左側ほどではないが、「抜き差し」しやすい位置である。例えば２連を左右に吊れば、計４ケの道具が差せる。
２連道具差しの製作方法は、ベースになる底側の皮に縦方向のほぼ、真ん中に両端をアールにしたスリットを入れる、スリットの数は２本、又は３本以上である。上側の工具ホルダーは甲皮の下側に、ホルダーと直角方向にスリット（１本又は２本以上）を入れる。
上側の工具ホルダーは甲皮の上側に、ホルダーと直角方向にスリット（１本又は２本以上）を入れる。甲皮の上側と下側に、ホルダーと直角方向のスリットに２枚の甲皮を差し込む。スリットを入れる目的は膝で突き上げたとき、スリット部分は折れ曲がり易いので、工具ホルダーへの衝撃が緩和される。
参考図：図（５）、図（６）、図（７）
【請求項５】
ハンマー（柄の部分が木製のもの）や、モンキーレンチなどの比較的長い工具も抜き差しできる２連、又は３連以上の斜め差し工具ホルダー。２連道具差しを例にすると何方かを長いホルダー。もう一方を短いホルダーにすると、何方も抜き差しが容易である。ハンマーや、モンキーレンチなどを兼用できる２連式の場合は、ハンマー用にはハンマーの鉄部分に磁石が吸着するよう、ベースの革部分に（外部から見える位置）磁石を１ケ、又は２ケ以上取り付ける。モンキーレンチ用にはモンキーレンチの把手の先端近くで磁石が吸着するように、革ホルダーの中に磁石を取り付ける。これにより、モンキーレンチはヘッドで磁石が２ケ吸着、把手の先端近くでも磁石が１ケ吸着できる。合計３ケの磁石で吸着する。ハンマーの場合は重い本体（鉄部分）を２ケの磁石で吸着する。
参考図：図（８）、図（９）、図（１０）、図（１１）
【発明の詳細な説明】
【技術分野】
【０００１】工具ホルダーの「甲皮」が、ベースの皮より幅広につくられた工具ホルダーに関する。
【背景技術】
【０００２】従来の工具ホルダーの「甲皮」は甲皮より出っ張ったベースの皮に、同じく道具を覆っている甲皮も出っ張らせて、両者を縫い付けたり、カシメ金具で固定するのが従来の方法であった。しかし、この方式は道具の巾より、かなり、工具ホルダーの巾が大きくなり、２連以上のもの（道具が２個以上横方向に差せるもの）の場合は特に横方向が大きくなり、不都合な場合が多かった。
【発明が解決しようとする課題】
【０００３】工具ホルダーの巾を小さくし、破損しにくい構造にすること。
【課題を解決するための手段】
【０００４】幅広のベースの皮に、同じく道具を覆っている甲皮も出っ張らせて、両者を縫い付けたり金具などで固定するのではなく甲皮を筒状にして、繋ぎ目は靴紐のように縛る。
【発明を実施するための形態】
【０００５】製作方法としてはベースになる皮に甲皮を一巻きする。甲皮の繋ぎ目は、靴紐のように、皮と皮に対面するように穴を明け（靴の構造と全く同じ）靴紐（実際は太い糸）で絞る。パイプ状になった甲側にベースの皮を差し込み、入れる道具に都合のよい太さになるよう靴紐の絞り具合を加減する。
【０００６】短距離の選手の運動靴には靴巾を広げる大きな衝撃力が働くが、靴紐や紐穴が切れたりする事は滅多に無い。これは、靴紐がズレたり、紐に働いた力が分散されるからである。このままでは、ベースの皮と甲皮がズレたりするので、金具などで一部を固定する。工具ホルダーの「甲皮」をパイプ状にして、繋ぎ目を靴紐のように縛（しば）り、ベースの皮に差し込む構造にした。
【発明の効果】
【０００７】筒状の革ホルダーのため、衝撃力が分散され非常に破損しにくい。
【図面の簡単な説明】
【０００８】
【図１】垂直差し工具ホルダーのパースと裏側の靴紐方式のパースである。
【図２】（図１）の甲革を外したベース側である。
【図３】斜め差し工具ホルダーのパースである。
【図４】斜め差し工具ホルダーの甲革を外したものである。
【図５】２連式斜め差し工具ホルダーのパースである。
【図６】２連式斜め差し工具ホルダーの裏側からのパースである。
【図７】２連式斜め差し工具ホルダーを開いたパースである。
【図８】片方に長い工具を収納できる２連式斜め差し工具ホルダーのパースである。
【図９】（図８）を開いたパースである。
【図１０】片方に長い工具を収納できる２連式斜め差し工具ホルダーにハンマーとプライヤーを収納したパースである。
【図１１】片方に長い工具を収納できる２連式斜め差し工具ホルダーにモンキーレンチとププイヤーを収納したパースである。
【図１】
2017024157.tif 000003
【図２】
2017024157.tif 000004
【図３】
2017024157.tif 000005
【図４】
2017024157.tif 000006
【図５】
2017024157.tif 000007
【図６】
2017024157.tif 000008
【図７】
2017024157.tif 000009
【図８】
2017024157.tif 000010
【図９】
2017024157.tif 000011
【図１０】
2017024157.tif 000012
【図１１】
2017024157.tif 000013